(57)【要約】【課題】観賞用水槽や池などの水面に浮かべる観賞用浮島において、構造が簡単で自然味のある浮島を提供する。【解決手段】魚類、水生動物あるいは水生植物を観賞するための観賞用水槽１に浮かせる浮島において、水面に浮く材料からなるフロート２の表面が自然の苔３又は合成樹脂で自然の苔を模した疑似苔で覆われ、フロート２の表面に苔以外の自然の植物４又は合成樹脂で自然の植物を模した疑似植物が設けられている浮島である。【選択図】図１
0003131894.tif 000002
【実用新案登録請求の範囲】
【請求項１】
魚類、水生動物あるいは水生植物を観賞するための観賞用水槽に浮かせる浮島において、
水面に浮く材料からなるフロートの表面が自然の苔又は合成樹脂で自然の苔を模した疑似苔で覆われ、前記浮島の表面に苔以外の自然の植物又は合成樹脂で自然の植物を模した疑似植物が設けられていることを特徴とする浮島。
【請求項２】
フロートの表面に、前記植物を設ける凹みが形成されていることを特徴とする請求項１記載の浮島。
【考案の詳細な説明】
【技術分野】
【０００１】
本考案は、熱帯魚、金魚、水生植物などを観賞するための水槽や池などの水面に浮かせる浮島に関する。
【背景技術】
【０００２】
金魚や熱帯魚などの魚類、水生植物、あるいは水生動物などを観賞するための水槽、庭の池などの水面に浮島を浮かせることが知られている。
【０００３】
例えば、特許文献１には金魚鉢に浮かせる浮島として、合成樹脂製の中空体の上面に銭亀が滑らないように多数の突起を設け、下面におもりをつけた浮島が開示されている。
【０００４】
また、特許文献２には、水槽の水面での安定性がよく、かつ水位の変動にも自動的に対応できて、使い勝手のよい観賞魚用水槽用浮島として、下面にブロー成形により中空の合成樹脂製盤状の浮島本体を形成し、この浮島本体に上下両面を貫通する貫通孔を設け、全体を合成樹脂で樹木に模した形状とした支柱部材を貫通孔に挿通し、支柱部材の下端の吸盤を水槽の内底面に吸着させて立設し、浮島本体を上下動可能にした浮島が開示されている。
【０００５】
さらに、特許文献３には、湿地植物を池、湖などに浮かべて観賞用に供するため、気泡を有するスポンジ質材料で作った容器の底に孔を開け、孔を金網で塞ぎ、容器の中に花菖蒲などの湿地植物を植える栽培用の土壌を入れ、容器に紐につけた錨を連結した観賞用水面栽培装置が開示されている。
【特許文献１】実公昭４１−８０６７号公報
【特許文献２】特開平９−１７２９０４号公報
【特許文献３】実公昭４７−３０３５８号公報
【考案の開示】
【考案が解決しようとする課題】
【０００６】
前記特許文献１に記載された浮島では、合成樹脂で中空体を形成するために植物が植えることができないので、自然の植物を鑑賞することができない。また、合成樹脂で中空体を形成し、その上面に多数の突起を設けなくてはならないので、製造工程が複雑となる。
【０００７】
また、前記特許文献２に記載された浮島も、前記特許文献１に記載された浮島と同様に、合成樹脂で中空体を形成するために植物を植えることができず、さらに合成樹脂で模した人工の樹木の支柱を用いるので、自然の植物を鑑賞することができない。さらに、浮島に貫通孔を設け、貫通孔に合成樹脂で模した支柱部材を通して水槽の内底面に吸着させる必要があるため、製造工程が複雑となる。
【０００８】
また、特許文献３に記載された観賞用水面栽培装置は、栽培用の土壌を容器中に入れて使用するために、仮にこれを観賞用水槽に適用した場合に、観賞用水槽内に容器の底に形成された孔から栽培用の土壌が溶け出したりあるいは落ちたりして水槽内が汚濁するおそれがあったり、また、池、湖などに浮かべることから流されないように紐につけた錨が鑑賞の邪魔になったりするので、観賞用水槽の浮島としては適当でない。
【０００９】
そこで、本考案は、観賞用水槽や池などの水面に浮かべる浮島において、構造が簡単で自然味のある浮島を提供するものである。
【課題を解決するための手段】
【００１０】
本考案は、魚類、水生動物あるいは水生植物を観賞するための観賞用水槽に浮かせる浮島において、水面に浮く材料からなるフロートの表面が自然の苔又は合成樹脂で自然の苔を模した疑似苔で覆われ、前記浮島の表面に苔以外の自然の植物又は合成樹脂で自然の植物を模した疑似植物が設けられている浮島である。
【００１１】
本考案の浮島は、魚類、水生動物あるいは水生植物を飼育して観賞するために使用される水を張ることができる透明のガラスやアクリル樹脂性の容器からなる水槽、石、金属あるいは陶器製の水盤、あるいは鯉などを飼う小さな池の水面に浮かべる。
【００１２】
フロートの材料には、水に浮かぶ材料、例えば、発泡スチロールなどの発泡性合成樹脂、中空成型品、木材などを使用することができる。
【００１３】
フロートの形状は、特に限定されるものではなく、板状のもの、球状のもの、あるいは上面に起伏を形成したものなどのなかから、目的や好みに応じて鑑賞用に適した形状を選択することがでる。また材料が水面に浮かぶ発泡性樹脂や木材などの下降しやすい材料なので容易に造型することができる。
【００１４】
また、フロートの大きさは、観賞用水槽の大きさ、好みに応じて、３ｃｍ程度の小さい物から１５ｃｍ程度の大きさ、また、小さな池用として３０ｃｍ程度の大きさのものなど水槽や池の大きさあるいは好みに応じて適宜の大きさを選択することができる。
【００１５】
フロートを覆う苔には自然の生きた苔や合成樹脂で自然の苔を模した疑似苔を用いる。自然の生きた苔としては、水面上にあるフロートの上面を水辺や湿気のある所に育つ苔、例えば、ミズシダゴケなどで覆い、下面を水中で育つ苔、例えば、ウイローモスなどで覆う。これらの自然あるいは人工の苔は市販されているもの使用することができる浮島全体を苔で覆うことにより、浮島全体が緑色をした自然を現出させることができる。また、生きた苔又は疑似苔なので腐ることもなく長く自然の状態を保つことができる。フロートの表面を覆う苔は、目立たないように細い透明のテグスを苔の上から形を整えながら巻き付けて定着させることができる。フロートの表面を苔で覆うことにより浮島をバランスよく浮かせることができ、浮島のバランスは、フロートの形や表面を覆う苔の量を加減して調整することができる。
【００１６】
フロートの表面には、小さな島の外観をした浮島に形成するために、フロートの表面に苔以外の生きた植物あるいは合成樹脂製の疑似植物を植える。
【００１７】
フロートの表面には、ポットや他の培地に植えられている植物を植えることができるように、植物を植えることができる凹みを形成する。凹みの大きさは、植える植物に応じて適宜変えてもよい。
【００１８】
上面に配置する植物は、水辺の植物が適しているが、特に限定されるものではなく、鑑賞者の好み、季節などにより適宜選択することができる。例えば、もみじ、姫くちなしなどの小さな苗木、ユキノシタなどの草花、姫セキショウなどの小さな水辺の植物を挙げることができる。植物に加えて、さらに飾り石や切り花などの飾り物を配置してもよい。
【考案の効果】
【００１９】
本考案の浮島は、フロートの表面を緑色の苔で覆い、さらに苔の中に植物を配置する簡単な構造で、自然味のある小さな島の景色そのままを鑑賞することができる。
【００２０】
また、ポットに植えられた植物をフロートの凹みに入れるだけで、植物を変えたりあるいは複数組み合わせたりすることができるので、鑑賞者の好みや季節などにより自然の変化を楽しむことができる。
【００２１】
浮島は、観賞用水槽に浮かべると、魚の動きや風などにより水槽内を浮遊して景色が変化するので、見る人に新たな驚きと喜びを感じさせる。また、水槽にエビや亀を入れた場合には、エビや亀が浮島につかまるため、その小さな動きが浮島を動かすのでおもしろみがある。
【００２２】
また、従来の水槽の底面に砂を入れて水草類を水中で育てる代わりに、本考案の浮島で苔と植物を水面近くに浮かべると、魚が水中を自由に移動できるし、水槽に上面からでなく、底面から照明を当てたり、眺めたりすることが可能となる。また、砂を定期的に洗う煩わしさもなくなる。
【００２３】
また、観賞用水槽は、今まで夏に需要が集中しがちであったが、浮島に季節の花や植物を取り入れることで、四季折々の景色を楽しむことができるようになり、夏以外の季節にも需要が期待される。
【００２４】
また、本考案の浮島は、家庭用のガラスの器などを観賞用水槽にして浮かべて手軽にメダカなどを飼うことができるので、多くの人が自然に親しめるようなる。
【考案を実施するための最良の形態】
【００２５】
本考案の実施例について図面を用いて説明する。
【実施例１】
【００２６】
図１は本考案による浮島の実施例を示す図である。
【００２７】
図１において、水槽１の水面に浮く発泡スチロール製の板状のフロート２を準備する。
【００２８】
フロート２の表面を生きている苔３で覆う。苔３は、水面上部分を水辺の苔で覆い、水中部分を水中苔で覆う。
【００２９】
フロート２の上面には苔以外の植物４を配置する。植物４は、根が苔３や苔３とフロート２との間に伸びて生長していく。
【００３０】
浮島のバランスは、フロートの形や表面を覆う苔の量を加減して調整する。覆った苔３の上から細い透明のテグス５を巻いて苔３をフロート２に定着させる。
【実施例２】
【００３１】
図２は本考案による浮島の別実施例を示す図で、（ａ）はポット植物を植える前の状態を示す図、（ｂ）はポット植物をフロートに植えた状態を示す図ある。
【００３２】
図２（ａ）において、水面に浮く発泡スチロール製の板状のフロート２を準備する。フロート２の表面には、ポット植物６を入れる凹み７が形成されている。
【００３３】
図２（ｂ）に示すように、凹み７にポット植物５を入れた後、フロート２の表面を生きている苔３で覆う。苔３は、水面上部分を水辺の苔で覆い、水中部分を水中苔で覆う。覆った苔３の上から細い透明のテグス５を巻いて苔３をフロート２に定着させる。
【００３４】
本実施例では、ポット植物６を凹み７に入れるだけで、ポット植物５を入れ替えたり、複数種類の植物を組み合わせたりして浮島の様子を変化させることができる。
【図面の簡単な説明】
【００３５】
【図１】本考案による浮島の実施例を示す図である。
【図２】本考案による浮島の別実施例を示す図で、（ａ）はポット植物を植える前の状態を示す図、（ｂ）はポット植物をフロートに植えた状態を示す図ある。
【符号の説明】
【００３６】
１：観賞用水槽  ２：フロート
３：苔          ４：植物
５：テグス      ６：ポット植物
７：凹み
【図１】
0003131894.tif 000003
【図２】
0003131894.tif 000004